【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
生物学的材料の分離方法であって、
式：
【化１】
2008539280.tif 000001
（式中、
Ｂは、−ＮＲ1−又は−Ｏ−からなる群からの１、２又は３員で中断されてもよく、かつ非置換又はヒドロキシル、スルホ、スルファト、シアノ若しくはカルボキシルで置換されたＣ2〜Ｃ12アルキレン基であり、
Ｒ1は、水素又はＣ1〜Ｃ4アルキルであるか、あるいは
Ｂは、非置換若しくはＣ1〜Ｃ4アルキル、Ｃ1〜Ｃ4アルコキシ、スルホ、ハロゲン若しくはカルボキシルで置換された、Ｃ5〜Ｃ9シクロアルキレン基、Ｃ1〜Ｃ4アルキレン−Ｃ5〜Ｃ9シクロアルキレン基若しくはＣ1〜Ｃ4アルキレン−Ｃ5〜Ｃ9シクロアルキレン−Ｃ1〜Ｃ4アルキレン基、又は非置換若しくはＣ1〜Ｃ4アルキル、Ｃ1〜Ｃ4アルコキシ、Ｃ2〜Ｃ4アルカノイルアミノ、スルホ、ハロゲン若しくはカルボキシルで置換された、フェニレン基、Ｃ1〜Ｃ4アルキレン−フェニレン基若しくはＣ1〜Ｃ4アルキレン−フェニレン−Ｃ1〜Ｃ4アルキレン基であり、
Ｖは、
式：
【化２】
2008539280.tif 000002
で示される非繊維反応性置換基又は繊維反応性置換基であり、
ここで
Ｒ2は、水素又は非置換若しくは置換されたＣ1〜Ｃ4アルキル又は
式：
【化３】
2008539280.tif 000003
基であり、
Ｒ3は、水素、ヒドロキシ、スルホ、スルファト、カルボキシ、シアノ、ハロゲン、Ｃ1〜Ｃ4アルコキシカルボニル、Ｃ1〜Ｃ4−アルカノイルオキシ、カルバモイル又は−ＳＯ2−Ｙ基であり、
Ｒ4は、水素又はＣ1〜Ｃ4アルキルであり、
ａｌｋ及びａｌｋ1は各々、互いに独立して、直鎖状又は分岐状のＣ1〜Ｃ6アルキレンであり、
アリーレンは、非置換又はスルホ、カルボキシ、ヒドロキシ、Ｃ1〜Ｃ4アルキル、Ｃ1〜Ｃ4アルコキシ若しくはハロゲンで置換された、フェニレン又はナフチレン基であり、
Ｙは、ビニル又は−ＣＨ2−ＣＨ2−Ｕ基であり、かつＵは、脱離基であり、
Ｙ1は、−ＣＨ（Ｈａｌ）−ＣＨ2（Ｈａｌ）又は−Ｃ（Ｈａｌ）＝ＣＨ2基であり、ここでＨａｌは、塩素又は臭素であり、
Ｗは、−ＳＯ2−ＮＲ4−、−ＣＯＮＲ4−又は−ＮＲ4ＣＯ−基であり、ここでＲ4は、上記に定義したとおりであり、
Ｑは、−Ｏ−又は−ＮＲ4−基であり、ここでＲ4は、上記に定義したとおりであり、そして
ｎは、数０又は１であり、
Ｘは、ハロゲンであり、そして
ｋ及びｍは各々、互いに独立して、数０又は１であり、かつｋ＋ｍの合計は、１又は２である）
で示される化合物と、上記式（１）で示される化合物の反応性基と反応して共有結合を形成可能な基を有する基質との反応生成物を含む吸着剤が使用されるが、
ただし、
式：
【化４】
2008539280.tif 000004
（式中、
Ｑは、スルホ又はカルボキシである）
で示される化合物を含む吸着剤は除外される、方法。
【請求項２】
式（１）で示される化合物が、
式：
【化５】
2008539280.tif 000005
（式中、
Ｂは、Ｃ2〜Ｃ6アルキレン基、非置換若しくはＣ1〜Ｃ4アルキルで置換されたメチレン−シクロヘキシレン基、又は非置換若しくはＣ1〜Ｃ4アルキル、Ｃ1〜Ｃ4アルコキシ、ハロゲン若しくはスルホで置換された、フェニレン若しくはメチレン−フェニレン−メチレン基であり、
Ｖは、アミノ、非置換又はアルキル部分においてヒドロキシ、スルファト若しくはスルホで置換され、かつ非中断又は−Ｏ−基で中断された、Ｎ−モノ−若しくはＮ，Ｎ−ジ−Ｃ1〜Ｃ4アルキルアミノ、モルホリノ、非置換若しくはフェニル環においてスルホ、カルボキシ、塩素、アセチルアミノ、メチル若しくはメトキシで置換された、フェニルアミノ若しくはＮ−Ｃ1〜Ｃ4アルキル−Ｎ−フェニルアミノ、又は非置換若しくは１〜３個のスルホ基で置換されたナフチルアミノであるか、あるいは
Ｖは、
式：
【化６】
2008539280.tif 000006
で示される基である）
で示される化合物に対応する、請求項１記載の方法。
【請求項３】
Ｂが、
下記：
【化７】
2008539280.tif 000007
基であり、
Ｖが、β−ヒドロキシエチルアミノ、２−（β−ヒドロキシエトキシ）エチルアミノ、Ｎ，Ｎ−ジ−β−ヒドロキシエチルアミノ、β−スルホエチルアミノ、モルホリノ、２−、３−若しくは４−スルホフェニルアミノ、１−スルホナフタ−２−イル−アミノ若しくは３，７−ジスルホナフタ−２−イル−アミノに対応するか、あるいは
Ｖは、請求項２に定義した式（２ｃ’）若しくは（２ｄ’）基である、請求項２記載の方法。
【請求項４】
生物学的材料を分離するための吸着剤であって、
式：
【化８】
2008539280.tif 000008
（式中、
Ｂは、−ＮＲ1−又は−Ｏ−からなる群からの１、２又は３員で中断されてもよく、かつ非置換又はヒドロキシル、スルホ、スルファト、シアノ若しくはカルボキシルで置換されたＣ2〜Ｃ12アルキレン基であり、
Ｒ1は、水素又はＣ1〜Ｃ4アルキルであるか、あるいは
Ｂは、非置換若しくはＣ1〜Ｃ4アルキル、Ｃ1〜Ｃ4アルコキシ、スルホ、ハロゲン若しくはカルボキシルで置換された、Ｃ5〜Ｃ9シクロアルキレン基、Ｃ1〜Ｃ4アルキレン−Ｃ5〜Ｃ9シクロアルキレン基若しくはＣ1〜Ｃ4アルキレン−Ｃ5〜Ｃ9シクロアルキレン−Ｃ1〜Ｃ4アルキレン基であるか、又は非置換若しくはＣ1〜Ｃ4アルキル、Ｃ1〜Ｃ4アルコキシ、Ｃ2〜Ｃ4アルカノイルアミノ、スルホ、ハロゲン若しくはカルボキシルで置換された、フェニレン基、Ｃ1〜Ｃ4アルキレン−フェニレン基若しくはＣ1〜Ｃ4アルキレン−フェニレン−Ｃ1〜Ｃ4アルキレン基であり、
Ｖは、
式：
【化９】
2008539280.tif 000009
で示される非繊維反応性置換基又は繊維反応性置換基であり、
ここで
Ｒ2は、水素又は非置換若しくは置換されたＣ1〜Ｃ4アルキル又は
下記：
【化１０】
2008539280.tif 000010
基であり、
Ｒ3は、水素、ヒドロキシ、スルホ、スルファト、カルボキシ、シアノ、ハロゲン、Ｃ1〜Ｃ4アルコキシカルボニル、Ｃ1〜Ｃ4−アルカノイルオキシ、カルバモイル又は−ＳＯ2−Ｙ基であり、
Ｒ4は、水素又はＣ1〜Ｃ4アルキルであり、
ａｌｋ及びａｌｋ1は各々、互いに独立して、直鎖状又は分岐状のＣ1〜Ｃ6アルキレンであり、
アリーレンは、非置換又はスルホ、カルボキシ、ヒドロキシ、Ｃ1〜Ｃ4アルキル、Ｃ1〜Ｃ4アルコキシ若しくはハロゲンで置換された、フェニレン又はナフチレン基であり、
Ｙは、ビニル又は−ＣＨ2−ＣＨ2−Ｕ基であり、かつＵは、脱離基であり、
Ｙ1は、−ＣＨ（Ｈａｌ）−ＣＨ2（Ｈａｌ）又は−Ｃ（Ｈａｌ）＝ＣＨ2基であり、ここでＨａｌは、塩素又は臭素であり、
Ｗは、−ＳＯ2−ＮＲ4−、−ＣＯＮＲ4−又は−ＮＲ4ＣＯ−基であり、ここでＲ4は、上記に定義したとおりであり、
Ｑは、−Ｏ−又は−ＮＲ4−基であり、ここでＲ4は、上記に定義したとおりであり、そして
ｎは、数０又は１であり、
Ｘは、ハロゲンであり、そして
ｋ及びｍは各々、互いに独立して、数０又は１であり、かつｋ＋ｍの合計は、１又は２である）
で示される化合物と、
上記式（１）で示される化合物の反応性基と反応して共有結合を形成可能な基を有する基質との反応生成物を含むが、
ただし、
式：
【化１１】
2008539280.tif 000011
（式中、
Ｑは、スルホ又はカルボキシである）
で示される化合物を含む吸着剤は除外される、吸着剤。
【請求項５】
請求項４記載の吸着剤の製造方法であって、
式：
【化１２】
2008539280.tif 000012
〔式中、
Ｂは、−ＮＲ1−又は−Ｏ−からなる群からの１、２又は３員で中断されてもよく、かつ非置換又はヒドロキシル、スルホ、スルファト、シアノ若しくはカルボキシルで置換されたＣ2〜Ｃ12アルキレン基であり、
Ｒ1は、水素又はＣ1〜Ｃ4アルキルであるか、あるいは
Ｂは、非置換若しくはＣ1〜Ｃ4アルキル、Ｃ1〜Ｃ4アルコキシ、スルホ、ハロゲン若しくはカルボキシルで置換された、Ｃ5〜Ｃ9シクロアルキレン基、Ｃ1〜Ｃ4アルキレン−Ｃ5〜Ｃ9シクロアルキレン基若しくはＣ1〜Ｃ4アルキレン−Ｃ5〜Ｃ9シクロアルキレン−Ｃ1〜Ｃ4アルキレン基、又は非置換若しくはＣ1〜Ｃ4アルキル、Ｃ1〜Ｃ4アルコキシ、Ｃ2〜Ｃ4アルカノイルアミノ、スルホ、ハロゲン若しくはカルボキシルで置換された、フェニレン基、Ｃ1〜Ｃ4アルキレン−フェニレン基若しくはＣ1〜Ｃ4アルキレン−フェニレン−Ｃ1〜Ｃ4アルキレン基であり、
Ｖは、
式：
【化１３】
2008539280.tif 000013
で示される非繊維反応性置換基又は繊維反応性置換基であり、
ここで
Ｒ2は、水素又は非置換若しくは置換されたＣ1〜Ｃ4アルキル又は
下記：
【化１４】
2008539280.tif 000014
基であり、
Ｒ3は、水素、ヒドロキシ、スルホ、スルファト、カルボキシ、シアノ、ハロゲン、Ｃ1〜Ｃ4アルコキシカルボニル、Ｃ1〜Ｃ4−アルカノイルオキシ、カルバモイル又は−ＳＯ2−Ｙ基であり、
Ｒ4は、水素又はＣ1〜Ｃ4アルキルであり、
ａｌｋ及びａｌｋ1は各々、互いに独立して、直鎖状又は分岐状のＣ1〜Ｃ6アルキレンであり、
アリーレンは、非置換又はスルホ、カルボキシ、ヒドロキシ、Ｃ1〜Ｃ4アルキル、Ｃ1〜Ｃ4アルコキシ若しくはハロゲンで置換された、フェニレン又はナフチレン基であり、
Ｙは、ビニル又は−ＣＨ2−ＣＨ2−Ｕ基であり、かつＵは、脱離基であり、
Ｙ1は、−ＣＨ（Ｈａｌ）−ＣＨ2（Ｈａｌ）又は−Ｃ（Ｈａｌ）＝ＣＨ2基であり、ここでＨａｌは、塩素又は臭素であり、
Ｗは、−ＳＯ2−ＮＲ4−、−ＣＯＮＲ4−又は−ＮＲ4ＣＯ−基であり、ここでＲ4は、上記に定義したとおりであり、
Ｑは、−Ｏ−又は−ＮＲ4−基であり、ここでＲ4は、上記に定義したとおりであり、そして
ｎは、数０又は１であり、
Ｘは、ハロゲンであり、そして
ｋ及びｍは各々、互いに独立して、数０又は１であり、かつｋ＋ｍの合計は、１又は２であるが、
ただし、
式：
【化１５】
2008539280.tif 000015
（式中、
Ｑは、スルホ又はカルボキシである）
で示される化合物は除く〕で示される化合物と、前記式（１）で示される化合物の反応性基と反応して共有結合を形成可能な基を有する基質とを、酸結合剤の存在下で反応させることを含む、方法。
【請求項６】
式：
【化１６】
2008539280.tif 000016
（式中、
Ｖ1は、β−ヒドロキシエチルアミノ、２−（β−ヒドロキシエトキシ）エチルアミノ又はモルホリノであり、
Ｖ2及びＶ3は各々、互いに独立して、β−ヒドロキシエチルアミノ、２−（β−ヒドロキシエトキシ）エチルアミノ、Ｎ，Ｎ−ジ−β−ヒドロキシエチルアミノ又はモルホリノであり、
ｑは、数０、１、２又は３である）
で示される化合物。